(57)【要約】【課題】灌水・排水機構を備え一体型となった植栽パネルを提供し、雨水を利用した壁面緑化を構築することを課題とする。【解決手段】植栽パネル１は、灌水の為の導水路２Aおよび２Bを有している。なお、片側の導水路２Aのみに灌水の為の孔１８を有しており、導水路を通る水の半分を下段へと導くことができる。これにより、複数段の植栽パネルに植栽された植物全体への灌水を可能とする。また、植栽パネルと灌水ホースを一度に設置できる為、壁面緑化構造体の設置作業が容易になる。植栽パネル１は、２枚のリブ２１によって形成された排水層３を有しており、その底面には排水のための孔１９を有している。これにより均一な排水が可能となるうえ、植栽部底面にパーライト等を敷詰める必要がなく、植栽作業が容易になる。さらに、雨どい１１と導水路２とを連結することにより、雨水による省資源・省エネルギーな灌水を可能とする。【選択図】図１
2011019450.tif 000002
【特許請求の範囲】
【請求項１】
一つの部材の中に、灌水の為の有孔導水路と、排水の為の排水層と、を有して構成されていることを特徴とする植栽パネル。
【請求項２】
請求項１に記載の植栽パネルを壁面に固定し、雨どいから雨水の供給をうけることを特徴とする壁面緑化構造。
【発明の詳細な説明】
【技術分野】
【０００１】
この発明は、雨水を利用して建築物の壁面を緑化する為に用いる植栽パネル及びこの植栽パネルを用いた壁面緑化工法に関する。
【背景技術】
【０００２】
従来、壁面を緑化する場合には、植栽パネル及び灌水装置を現場にて設置し、この中に基盤や倍土を配置して植物の苗を植え込むことで緑化を行う方法が採用されている（特許文献１参照）。
【０００３】
しかし、この方法では、複数の部材からなる植栽パネル及び灌水ホースを設置する際に時間と労力がかかる。また、排水機構を備えていないため、植物が根腐れする恐れもある。
【０００４】
さらに、水供給を灌水装置のみに依存した緑化は、その維持に電力や水道を必要とし、省資源・省エネルギーの観点から問題となる。
【先行技術文献】
【特許文献】
【０００５】
【特許文献１】特開２００８−２９３２２号公報
【発明の概要】
【発明が解決しようとする課題】
【０００６】
本発明は上記事実を考慮し、灌水・排水機構を備え一体型となった植栽パネルを提供し、雨水を利用した壁面緑化を構築することを課題とする。
【課題を解決するための手段】
【０００７】
請求項１に記載の発明の植栽パネルは、一つの部材の中に、灌水の為の有孔導水路と、排水の為の排水層と、を有して構成されていることを特徴としている。
【０００８】
請求項１に記載の発明によれば、植栽パネルには導水路が設けられている。また、この導水路内部はしきりにより２つに分断されており、片側のみに灌水の為の孔を有している。
【０００９】
これにより、導水路を通る水の半分を下段へと導くことができ、複数段の植栽パネルに植栽された植物全体への灌水を可能とする。
【００１０】
また、従来は２つの部材から成る植栽パネルと灌水ホースを一度に設置できる為、壁面緑化構造体の設置作業が容易になる。
【００１１】
請求項１に記載の発明によれば、植栽パネルには排水のための排水層が２枚のリブにより形成されている。これにより、均一な排水が可能となるうえ、排水のために植栽部底面にパーライト等を敷詰める必要がなく、植栽作業が容易になる。
【００１２】
また、排水層底面に開けられた孔より排水された水は、下段の植栽パネルの植栽部に落下し、２次的な灌水として利用される。
【００１３】
請求項２に記載の壁面緑化構造は雨水の供給を受けることを特徴としている。
【００１４】
請求項２に記載の発明によれば、雨どいと植栽パネル内部の導水路とを連結することにより、雨どいから雨水の供給を受けることができる。これにより、省資源・省エネルギーな灌水を可能とする。
【００１５】
また、雨どいと導水路の連結部は、分岐することにより灌水装置へ連結することができる。これにより、降雨の少ない時期の灌水を補助する。
【発明の効果】
【００１６】
本発明は上記構成としたので、灌水・排水機構を備え一体型となった植栽パネルを提供し、雨水を利用した壁面緑化を構築することができる。
【図面の簡単な説明】
【００１７】
【図１】（A）は本発明の第１の実施形態に係る植栽パネルの側面図であり、（B）は底面図である。
【図２】本発明の第１の実施形態に係る壁面緑化構造の植栽状態を示す側面図である。
【図３】本発明の第１の実施形態に係る壁面緑化構造の植栽状態を示す側面図である。
【図４】本発明の第１の実施形態に係るブラケットの斜視図である。
【図５】本発明の第１の実施形態に係る植栽パネルとブラケットおよびエンドキャップの係合状態を示す斜視図である。
【図６】本発明の第１の実施形態に係る壁面緑化構造を示す斜視図である。
【図７】本発明の第２の実施形態に係る支柱の斜視図である。
【図８】本発明の第２の実施形態に係る支柱内部と植栽パネルを結ぶ導水管の斜視図である。
【図９】（A）は本発明の第２の実施形態に係る壁面緑化構造を示す斜視図であり、（B）は側面図である。ただし、（B）は図を見やすくするためにブラケットおよび支柱の外枠を省略してある。
【発明を実施するための形態】
【００１８】
次に、本発明の第一の実施形態に係る植栽パネル１について説明する。
【００１９】
植栽パネル１は、灌水の為の導水路２Aおよび２Bと、排水の為の排水層３と、を有している（図１参照）。なお、導水路は内部でしきり２０により２つに分断されており、片側の導水路２Aのみに灌水の為の孔１８を有している。
【００２０】
また、２枚のリブ２１によって形成された排水層３の底面には排水のための孔１９を有している（図１参照）。
【００２１】
次に、本発明の第一の実施形態に係る壁面緑化構造について説明する。
【００２２】
基盤材または培土４を透水性防根シートからなる袋体５に混入した基盤にあらかじめ植物６を植え付けたものを、植栽パネル１の植栽部７に設置する（図２参照）。または、透水性防根シート８および基盤材４をそれぞれ植栽部７に設置した後、植物６を現場にて植栽する（図３参照）。
【００２３】
植栽パネル１は図４に示す２種類のブラケット９Aおよび９Bによりアンカーボルトを用いて壁面に固定できる。壁面への固定は植栽パネル１の各２箇所で行う。また、植栽パネル１の両端はエンドキャップ１０によりビスを用いて閉じられる（図５参照）。
【００２４】
雨どい１１と植栽パネル１内部の導水路２の一端とを同径の導水管１２にて連結する。壁面緑化構造が複数段の植栽パネル１からなる場合、導水路２のもう一端は、下段に設置された同様の植栽パネル１へと導水管１３にて連結する（図６参照）。
【００２５】
次に、本発明の第２の実施形態に係る壁面緑化構造について説明する。なお、第一の実施形態と同様の構成については、第一の実施形態と同符号を付与し、その説明を省略する。
【００２６】
本実施形態は、ブラケット９Aおよび９Bを壁面に直接固定することが困難な場合や望ましくない場合に実施されうる。
【００２７】
第一の実施形態と同様に植栽された植栽パネル１をブラケット９Aおよび９Bにより、図７に示される支柱１４に固定する。
【００２８】
支柱１４は内部に導水路１５を有している。この導水路１５の側面と植栽パネル１の導水路２Aとを同径の導水管１６（図８）により連結する。壁面緑化構造が複数段の植栽パネル１からなる場合、全ての段において同様の連結を行う（図８参照）。
【００２９】
雨どい１１と支柱１４内部の導水路１５の上端とを同径の導水管１７により連結する（図８参照）。
【符号の説明】
【００３０】
１  植栽パネル、  ２  導水路、  ３  排水層、  ４  基盤材または培土、  
５  袋体、  ６  植物、  ７  植栽部、  ８  防根シート、  ９  ブラケット、  
１０  エンドキャップ、  １１  雨どい、  １２  導水管、  １３  導水管、  
１４  支柱、  １５  導水路、  １６  導水管、  １７  導水管、  １８  孔、  
１９  孔、  ２０  しきり、  ２１  リブ
【図１】
2011019450.tif 000003
【図２】
2011019450.tif 000004
【図３】
2011019450.tif 000005
【図４】
2011019450.tif 000006
【図５】
2011019450.tif 000007
【図６】
2011019450.tif 000008
【図７】
2011019450.tif 000009
【図８】
2011019450.tif 000010
【図９】
2011019450.tif 000011